(57)【特許請求の範囲】
【請求項１】
遊戯者の操作によって取得された景品が景品払出口に払い出されるように構成された景品払出ゲーム装置において，
複数の景品を貯蔵する景品貯蔵部と，
搬送経路に沿って前記複数の景品を搬送する搬送手段と，
前記景品貯蔵部に貯蔵された前記複数の景品を前記搬送経路に移動させる移動手段と，
前記搬送経路から逸脱した景品を前記景品払出し口へ導いて前記逸脱した景品を取得する景品取得手段とを有し，
前記搬送手段は，ゲーム装置に対向して位置する遊戯者に対して奥側から手前側へ向けて設けられた前記搬送経路と，前記搬送経路の手前側の端に終端部を有し，
前記景品貯蔵部は，前記搬送手段により奥側から手前側に搬送されて前記終端部から逸脱した景品を回収しうるように前記搬送手段の下方に設けられ，
前記景品取得手段は，記景品貯蔵部へ景品が落下する落下空間を挟んで前記終端部と反対側に配置され，前記搬送経路の前記手前側から奥側に向う方向に傾動可能に設けられた複数のフラップ板を有し，
前記遊戯者の操作に応答して前記複数のフラップ板のそれぞれが前記方向に傾動するタイミングにより，前記終端部から逸脱した景品が前記景品貯蔵部に回収されるのを阻止し，あるいは，景品を前記景品払出し口へ導くガイドとして構成されることを特徴とする景品払出しゲーム装置。
【請求項２】
請求項１において，
遊戯者が前記複数のフラップ板のそれぞれを前記終端部側に向けて傾動させるために操作するボタンと，
前記フラップ板を傾動させる電磁ソレノイドと，
受信したボタン信号に応じて前記電磁ソレノイドを励磁させて，前記フラップ板の傾動制御を行う制御部とを有することを特徴とする景品払出しゲーム装置。
【請求項３】
請求項１又は２において，
更に，前記景品貯蔵部にある複数の景品を前記搬送部に移動させるエレベータ部と，
該エレベータ部に向けて前記複数の景品を押し上げる押上げ機構を，
有することを特徴とする景品払出しゲーム装置。
【請求項４】
請求項３において，
前記エレベータ部は，内周に複数の仕切り板を備えた回転ドラムで構成され，
該回転ドラムが，その軸が略水平になるように配置され，
前記押上げ機構は，前記景品貯蔵部から前記回転ドラムの下部の二枚の仕切り板の間に，景品を押し込むように構成されたことを特徴とする景品払出しゲーム装置。
【請求項５】
請求項４において，
前記押上げ機構は，
一対のプーリに張られたエンドレスベルトと，
該エンドレスベルトを２分するそれぞれ対向する位置で，該エンドレスベルトに支持された，一対の箱体を有し，
前記一対のプーリの正方向半回転及び逆方向半回転により，前記エンドレスベルトに支持される一対の箱体が，互いに反対方向に往復移動され，前記一対の箱体の端面で，前記景品を前記エレベータ部方向に移動させる
ことを特徴とする景品払出しゲーム装置。
【発明の詳細な説明】
【０００１】
【発明の属する技術分野】
本発明は、遊戯者の操作の技巧に応じて、景品の払出しが行われる景品払出しゲーム装置に関する。
【０００２】
【従来の技術及び、発明が解決しようとする課題】
従来より、ゲームとして、遊戯者の操作の技巧に応じて、景品の払出しを行なうゲーム装置が開発され、使用されている。
【０００３】
しかるに、これまでの景品の払出しを行なうゲーム装置の多くは、専ら特定の決められた景品、あるいは遊戯者の狙った景品を、遊戯者の操作の技巧に応じて、払出しを行なうものであった。すなわち、遊戯者の一の操作の巧拙により一の景品の払出しが決められる装置であった。
【０００４】
これに対し、一定の時間内の遊戯者の連続的な操作の巧拙により、景品の払出しの数が決められるゲーム装置の提供も望まれているが、装置が複雑であり、また必ずしも遊戯者の興味を高めるゲーム装置の提供がなされていない。
【０００５】
すなわち、一定の時間内の遊戯者の連続的な操作の巧拙により景品の払出しの数が決められるゲーム装置に対する遊戯者の興味を高める要件として、小さな景品から比較的大きな景品を扱えることが望まれる。
【０００６】
さらに、一定の時間内の遊戯者の連続的な操作の巧拙を問うゲーム装置である場合は、景品の大きさによらず、装置内での景品搬送がスムーズに継続して行われることが必要である。同時に、装置構成が簡易であることは、一定の時間内の遊戯者の連続的な操作の巧拙を問うゲーム装置の普及の面からも要求されることである。
【０００７】
したがって、本発明の目的は、かかる景品の大きさによらずにスムーズな景品搬送を可能とする景品払い出しゲーム装置を提供することにある。
【０００８】
さらに、本発明の目的は、装置構成が簡易な景品払出しゲーム装置を提供することにある。
【０００９】
【課題を解決するための手段】
上記本発明の課題を達成する景品払い出しゲーム装置は、景品貯蔵部と、この景品貯蔵部にある景品を上方部に移動させるエレベータ部と、このエレベータ部により上方部に移動された景品を搬送し、終端部まで搬送された景品を、前記景品貯蔵部に落下して戻すように構成された搬送部と、景品払い出し口と、前記搬送部の終端部まで搬送された景品を、景品貯蔵部に落下させずに、景品払出し口に導くように、遊戯者により制御される複数のフラップ板を有する。さらに、特徴として、前記景品貯蔵部に、景品をエレベータ部に向け、押し上げる押上げ機構を有して構成される。
【００１０】
具体的態様として、前記エレベータ部は、内周に複数の仕切り板を備えた回転ドラムで構成され、この回転ドラムが、その軸が略水平になるように配置され、前記押上げ機構は、前記景品貯蔵部から該回転ドラムの下部の二枚の仕切り板の間に、景品を押し込むように構成される。
【００１１】
また、前記押上げ機構の態様として、一対のプーリに張られたエンドレスベルトと、このエンドレスベルトを２分するそれぞれ対向する位置で、エンドレスベルトに支持された、一対の箱体を有し、この一対のプーリの正方向半回転及び逆方向半回転により、前記エンドレスベルトに支持される一対の箱体が、互いに反対方向に往復移動される。これにより、一対の箱体の端面で、前記景品を前記エレベータ部方向に移動させる。
【００１２】
また、一態様として、前記一対の箱体のそれぞれの裏面側に回転ローラを有する。
【００１３】
さらにまた、上記のいずれかの態様において、前記複数のフラップ板は、遊戯者の操作により、それぞれ独立に前記搬送部の終端部側に倒れるように制御可能である。
【００１４】
上記構成により、景品貯蔵部から送り出される景品は、エレベータ部と、搬送部を経由して、景品貯蔵部に回収される。遊戯者は、この回収過程で、複数のフラップ板を操作して、景品払い出し口に、より多くの景品を導くようにしてゲームを楽しむ構成である。
【００１５】
さらに、景品貯蔵部からエレベータ部へは、押上げ機構により景品を押し込む構成である。したがって、景品払出しゲーム装置において、景品の大きさによらず、確実な景品の送り出し、搬送が可能である。
【００１６】
更に、押上げ機構及び、エレベータ部は、景品貯蔵部に貯蔵された景品を搬送部に移動する移動手段として、上意の概念で捉えることも可能である。
【００１７】
【発明の実施の形態】
以下本発明の実施の形態を図面を参照して説明する。なお、図において、同一又は、類似のものには同一の参照番号又は、参照記号を付して説明する。
【００１８】
図１は、本発明の景品払出しゲーム装置の１実施の形態の外観斜視図である。景品払出しゲーム装置２０の側板２８と透明カバー２９に囲まれた内部に、搬送部２１を有する。搬送部２１により、装置奥側からキャンデー等の景品が、装置前面部に向けて搬送される。
【００１９】
装置上部には、遊戯者を引き付けるためのアイキャッチ２７等の装飾が付されている。さらに、装置２０の前面いは、ゲームの説明書２５が張られている。
【００２０】
コイン投入口２４に、コインが投入されると、ゲームが開始される。ゲームの開始により、遊戯者は、複数のフラップボタン２２を押下すると、対応するフラップ板７が搬送部２１の装置前部側の端部側に倒れるように、制御が可能になる。
【００２１】
遊戯者は、搬送部２１により送られる景品が、落下して景品貯蔵部に回収されないように、ゲーム残時間表示部２６に表示される残時間が０となるまで、フラップボタン２２をタイミングよく押下して、景品を景品取り出し口に導くようにする。
【００２２】
したがって、遊戯者のフラップボタン２２をタイミングよく押下する技巧の巧拙により、取得できる景品の数が増減される。
【００２３】
図２は、図１の景品払出しゲーム装置２０の制御ブロック図である。メインユニット１０が、装置全体の制御を司る。電源ユニット１１によりメインユニット１０に電源が供給され、メインユニット１０から各部に必要な電源が分配される。
【００２４】
メインユニット１０には、図２において図示省略されている、装置内部の景品搬送路を形成する、景品押し込み部、景品エレベータ部及び、景品搬送部のそれぞれを駆動する駆動ユニット１２，１３，１４が接続されている。
【００２５】
タイムカウンタ１７は、ゲーム開始からゲームを実行できる時間経過を計数し、残時間表示部２６に残時間を表示する制御を行なう。更に、メインユニット１０には、フラップボタン２２の押下を検知するユニット１５と、フラップ板１６を倒す信号を、ユニット１５の検知に基づいて、発生するユニット１６が接続されている。
【００２６】
図３は、図２の制御ブロックにより制御される景品の搬送経路を説明する図であり、図１の装置２０の右方向から観察した時の、景品の搬送経路を摸式的に示している。図３において、景品貯蔵部６に景品が収容されている。
【００２７】
景品貯蔵部６にある景品は、景品押上げ機構１により、エレベータ部２に送られる。景品押上げ機構１は、両方向矢印で示されるように、往復して動く。即ち、景品押上げ機構１が、両方向矢印の左側方向に引かれると、その先端部に景品が当接する。ついで、両方向矢印の右側方向に押し出されると、景品がエレベータ部２に送られる。
【００２８】
景品押上げ機構１により、その下部に景品が押し込まれたエレベータ部２は、その景品を上部方向に移送する。エレベータ部２の上部に移送された景品は、ガイド２により、搬送部２１（図１参照）を構成する搬送ベルト４上に導かれる。
【００２９】
搬送ベルト４は、駆動プーリ５により駆動され、搬送ベルト４上の景品を、装置２０の前部方向に移送する。
【００３０】
図３では、フラップ板７が倒された状態を示している。フラップ板７に連なる方向に、景品を景品取り出し口２３に導くガイド８を有している。
【００３１】
図４、図５は、図３の景品の搬送経路において、景品取り出しに成功した場合と、失敗した場合をそれぞれ説明する図である。
【００３２】
図４において、フラップ板７が搬送部２１による景品搬送のタイミングに一致して、倒された状態を示している。したがって、景品は、図の矢印９に沿って、景品貯蔵部６から景品取り出し口２３に導かれることになる。
【００３３】
図５は、フラップ板７が搬送部２１による景品搬送のタイミングと不一致の状態を示している。この状態では、搬送部２１により搬送された景品は、搬送部２１の先端部で落下して、景品貯蔵部６に回収されることになる。
【００３４】
景品貯蔵部６に回収されたた景品は、更に、図３により説明した搬送経路に送り出される。
【００３５】
図６は、エレベータ部２の１実施例を示す図である。図６の実施例は、回転ドラム３０を使用した例である。すなわち、回転ドラム３０は、その内側に複数の仕切り板３４を有する。
【００３６】
回転ドラム３０は、駆動モータ３２の回転力が、駆動プーリ３３及び駆動ベルト３１を介して伝えられる。したがって、回転ドラム３０の下部の仕切り板３４の間に景品が収められる。
【００３７】
したがって、回転ドラム３０が、駆動モータ３２により回転されると、仕切り板３４の間に収められた景品が、上方向に送られる。そして、上部からガイド３により、搬送部２１の搬送ベルト４上に落とされる。
【００３８】
図７は、搬送部２１の構成を示す分解図である。搬送ベルト４の前後に駆動ローラ４０，４１が挿入され、中間にガイドローラ４２が挿入されている。駆動ローラ４０は、駆動軸４７を有し、この駆動軸４７に、プーリ４３，４４及び駆動ベルト４５を介して、駆動モータ４６の回転力が伝達される。したがって、搬送ベルト４が回転し、乗せられた景品が搬送されることになる。
【００３９】
また、図において、ガイド棒４８、４９、５０がそれぞれ、駆動ローラ４０、４１、ガイドローラ４２に隣接して配置されている。
【００４０】
図８は、フラップ板７の制御機構を説明する図である。かくし板７０に複数のフラップ板７が支持されている。フラップ板７のそれぞれには、電磁ソレノイド７１が連結板７２により連結されている。電磁ソレノイド７１は、対応するフラップボタン２２が押下されると、フラップボタン信号受信部１５で検知される。
【００４１】
そして、フラップボタン信号受信部１５で検知されると、フラップ板制御部１６に信号が送られる。フラップ板制御部１６は、対応する電磁ソレノイド７１を励磁する。したがって、フラップ板７は、電磁ソレノイド７１の励磁に対応して倒される。非励磁されると、フラップ板７は、元の立ち上げの状態となる。
【００４２】
図９は、景品押し上げ機構１の構成を説明する図である。一つにプーリ１０１にエンドレスベルト１００が掛けられている。さらに、このエンドレスベルト１００には、エンドレスベルト１００を２分するそれぞれ対向する位置に一対の箱体１０３、１０４が接続されている。
【００４３】
この一対のプーリ１０１の正方向半回転及び逆方向半回転により、エンドレスベルト１００に接続されている一対の箱体１０３，１０４が、互いに反対方向に往復移動される。
【００４４】
したがって、一対の箱体１０３，１０４の端面で、景品をエレベータ部２である回転ドラム３０の方向に押し上げ、移動させる。これにより、景品貯蔵部６にある景品をエレベータ部２に景品の大きさによらず、確実に導くことが可能である。
【００４５】
図１０は、景品押上げ機構部１の詳細図であり、３角法で、側面図と上面図を示している。箱体１０３，１０４の裏側には、動きをスムースにする回転ローラ１０５が取り付けられている。また、駆動プーリ１０１は、駆動モータ４６により回転されるように構成されている。
【００４６】
ここで、上記構成における景品搬送路での景品搬送速度について考察する。１の実施例として、景品押し上げ機構１において、押し上げ箱体１０３，１０４は、１分間で約１８往復する。
【００４７】
また、エレベータ部２としての回転ドラム３０は、１分間で約４回転する。さらに、搬送部２１の搬送ベルト４は、１分間で約７回転する。かかる景品の搬送速度は、景品の大きさにより、適宜変更が可能である。
【００４８】
なお、上記実施例の説明において、押上げ機構及び、エレベータ部は、景品貯蔵部に貯蔵された景品を搬送部に移動する移動手段として、上意の概念で捉えることも可能である。したがって、押上げ機構は、押し下げる機構であっても良い。また、エレベータ部の機能を含めて、景品貯蔵部に貯蔵された景品を搬送部に吊り上げ移動するクレーン機構で構成することも可能である。
【００４９】
【発明の効果】
以上図面に従い、実施の形態を説明したように、本発明により、景品の大きさによらずにスムーズな景品搬送を可能とする景品払い出しゲーム装置が提供可能である。
【図面の簡単な説明】
【図１】本発明の景品払出しゲーム装置の１実施の形態の外観斜視図である。
【図２】図１の景品払出しゲーム装置２０の制御ブロック図である。
【図３】図２の制御ブロックにより制御される景品の搬送経路を説明する図である。
【図４】図３の景品の搬送経路において、景品取り出しに成功した場合を説明する図である。
【図５】図３の景品の搬送経路において、景品取り出しに失敗した場合を説明する図である。
【図６】エレベータ部２の１実施例を示す図である。
【図７】搬送部２１の構成を示す分解図である。
【図８】フラップ板７の制御機構を説明する図である。
【図９】景品押し上げ機構１の構成を説明する図である。
【図１０】景品押上げ機構部１の詳細図であり、３角法で示される側面図と上面図である。
【符号の説明】
１  押上げ機構                  ４０、４１  駆動ローラ
２  エレベータ部                  ４２  ガイドローラ
３  ガイド                        ４３、４４  プーリ
４  搬送ベルト                    ４５  駆動ベルト
５  駆動プーリ                    ４６  駆動モータ
６  景品貯蔵部                    ４７  駆動軸
７  フラップ板                    ４８、４９，５０  ガイド棒
８  ガイド                        ７０  かくし板
９  物品搬送経路                  ７１  電磁ソレノイド
１０  メインユニット              ７２  連結板
１１  電源ユニット                １００  エンドレスベルト
１２  押上げ機構駆動部          １０１  駆動プーリ
１３  ドラム駆動部                １０２  駆動モータ
１４  搬送ベルト駆動部            １０３、１０４  押し込み箱体
１５  フラップボタン信号受信部    １０５  回転ローラ
１６  フラップ板部
１７  タイマー
２０  ゲーム装置
２１  搬送部
２２  フラップボタン
２３  物品取り出し口
２４  コイン投入口
２５  ゲーム説明書
２６  ゲーム残時間表示部
２７  アイキャッチランプ
２８  側板
２９  透明カバー
３０  回転ドラム
３１  駆動ベルト
３２  駆動モータ
３３  駆動プーリ
３４  仕切り板
【図１】
0003799769.tif 000002
【図２】
0003799769.tif 000003
【図３】
0003799769.tif 000004
【図４】
0003799769.tif 000005
【図５】
0003799769.tif 000006
【図６】
0003799769.tif 000007
【図７】
0003799769.tif 000008
【図８】
0003799769.tif 000009
【図９】
0003799769.tif 000010
【図１０】
0003799769.tif 000011